(57)【要約】【課題】液晶取付台を操作表示パネルに係合させるとともに前部枠体にも係合させることで、液晶パネルの上下方向の幅を犠牲にすることなく、操作表示パネルの前部枠体からの浮き、外れを防止する。【解決手段】液晶取付台２６の下部には前部枠体５と係合する係合部５６が設けられ、製品前方への浮きを規制している。液晶取付台２６は前述した係合部５５で操作表示パネル１６と係合しているので、操作表示パネル１６を前部枠体５に係合させなくても製品前方への浮きを規制することができる。【選択図】図８
2014054496.tif 000002
【特許請求の範囲】
【請求項１】
回転駆動されるドラムを収納した洗濯機筐体と、
この洗濯機筐体の前方に配設される前部枠体と、
この前部枠体の上部に配設され、開口窓を有する樹脂製の操作表示パネルと、
液晶パネルに表示された内容を表示し、裏面に接着された透明電極を操作する機能を備えた透明ガラス板と、
前記液晶パネルを収納する液晶取付台と、
前記液晶パネルや透明電極を制御する制御基板とを備え、
前記透明ガラス板は、弾性体を介して前記液晶取付台と操作表示パネルの間に弾性保持され、
前記液晶取付台は、前記操作表示パネルに係合されるとともに、前記前部枠体にも係合させた洗濯機。
【請求項２】
前記制御基板を覆い、前記操作表示パネルや前記液晶取付台に係合された裏面カバーを設け、この裏面カバーは前記前部枠体に係合させた請求項１に記載のドラム式洗濯機。
【発明の詳細な説明】
【技術分野】
【０００１】
本発明は、回転軸が水平もしくは傾斜した回転ドラム内で洗濯、すすぎ、脱水、乾燥の各行程を行う洗濯機に関するものである。
【背景技術】
【０００２】
従来のこの種の洗濯機は、水及び空気を通過させる多数の透孔が周面に形成された有底円筒形の回転ドラムを水平方向もしくは水平方向から傾斜した方向にして水槽内に配設し、回転ドラムを回転駆動できるように構成されている。前記水槽の正面側には、扉によって開閉可能に衣類出入口が形成されており、その衣類出入口から回転ドラム内に洗濯物を投入して水槽内への注水及び排水、回転ドラムの回転を制御することにより洗濯、すすぎ、脱水の各行程を行うようになっている。
【０００３】
本体の前面上部には、発光表示部や押圧操作ボタン部を有する操作表示パネルが配置され、使用者は希望の運転コースを選択し運転を開始する。操作表示パネルは透明樹脂製で表面はインサート成形されたフィルムで覆われて着色、印刷が施された化粧面を成す。使用者が選択したコースが点灯し、運転中は点滅するなどして、使用者が運転状況を容易に識別できるようにしている。（例えば、特許文献１参照)。
【０００４】
図２に従来の操作表示パネル５０を示すが、５１は液晶パネルで全ての表示内容を全点灯して表した状態であり、使用者が例えば「お急ぎ」コースを選ぶ時は、コースボタン５２を押すとコース選択に有効な内容のみが点灯し、コースボタンを押す毎に設定したコースが変わり、「お急ぎ」に設定されたことを確認して「スタート」ボタンを押し運転をスタートさせる。
【先行技術文献】
【特許文献】
【０００５】
【特許文献１】特開２００３−３８４９０６号公報
【発明の概要】
【発明が解決しようとする課題】
【０００６】
しかしながら前記従来のドラム式洗濯機の構造では、操作表示パネル上にコースボタンなどの運転内容を設定する操作ボタンが数多く並び、どのボタンを押せば良いのかわかりにくく操作性が悪い。また液晶パネルの表示内容も決められた表示位置で点灯させるだけなので、数が増えるほど1つ1つの表示大きさが小さくなり、視認性も低下する。
【０００７】
本発明は、前記従来の課題を解決するもので、操作性、視認性、外観デザイン的にも優れたドラム式洗濯機を提供することにある。
【課題を解決するための手段】
【０００８】
前記従来の課題を解決するために、本発明の洗濯機は、回転駆動されるドラムを収納した洗濯機筐体と、この洗濯機筐体の前方に配設される前部枠体と、この前部枠体の上部に配設され、開口窓を有する樹脂製の操作表示パネルと、液晶パネルに表示された内容を表示し、裏面に接着された透明電極を操作する機能を備えた透明ガラス板と、前記液晶パネルを収納する液晶取付台と、前記液晶パネルや透明電極を制御する制御基板とを備え、前記透明ガラス板は、弾性体を介して前記液晶取付台と操作表示パネルの間に弾性保持され、
前記液晶取付台は、前記操作表示パネルに係合されるとともに、前記前部枠体にも係合さ
せたものである。
【０００９】
このような構成により、使用者が運転内容を設定する時に、透明ガラス板に現れる表示を直接触って選択したいコースを選ぶと、続けて例えば「洗い」の時間設定などの更に下層の表示が現れ、それを触って決定していく階層的な操作が可能となり、操作ボタンを減らせ、表示も大きくでき、操作性、視認性を向上できる。同時に液晶取付台の表に液晶を、裏に制御基板を取付けるので省スペース化が図れ、操作表示パネルの内部のスペースが広がり、液晶パネルが大きくでき表示範囲を拡大できる。また液晶取付台を前部枠体に係合させることで、操作表示パネルに前部枠体との係合部を設ける必要が無くなり、液晶パネルの表示範囲を拡大できる。
【００１０】
上記構成において、前記制御基板を覆い、前記操作表示パネルや前記液晶取付台に係合された裏面カバーを設け、この裏面カバーは前記前部枠体に係合させたものである。このような構成により、操作表示パネルに前部枠体との係合部を設けなくても、操作表示パネルが前部枠体に固定取付けられ、浮いた隙間からほこり、水滴が侵入するのを防止できる。
【発明の効果】
【００１１】
本発明の洗濯機は、使用者が運転内容を設定する時に、透明ガラス板に現れる表示を直接触って選択したいコースを選ぶと、続けて例えば「洗い」の時間設定などの更に下層の表示が現れ、それを触って決定していく階層的な操作が可能となり、操作ボタンを減らせ、表示も大きくでき、操作性、視認性を向上できる。同時に液晶取付台の表に液晶を、裏に制御基板を取付けるので省スペース化が図れ、操作表示パネルの内部のスペースが広がり、液晶パネルが大きくでき表示範囲を拡大できる。また液晶取付台を前部枠体に係合させることで、操作表示パネルに前部枠体との係合部を設ける必要が無くなり、液晶パネルの表示範囲を拡大できる。
【図面の簡単な説明】
【００１２】
【図１】本発明のドラム式洗濯機の操作表示パネル部の要部平面図
【図２】従来のドラム式洗濯機の操作表示パネル部の要部平面図
【図３】本発明のドラム式洗濯機の縦断面図
【図４】同ドラム式洗濯機の全体斜視図
【図５】同ドラム式洗濯機の操作表示パネル部のＡ−Ａ要部縦断面図
【図６】同ドラム式洗濯機の操作表示パネル部のＢ−Ｂ要部横断面図（ｂ）同洗濯機の締結ボスを含んだ要部横断面図
【図７】同ドラム式洗濯機の操作表示パネル部の要部斜視図
【図８】同ドラム式洗濯機の操作表示パネル部の係合部の要部拡大図
【図９】同ドラム式洗濯機の操作表示パネル部の係合部の他の要部拡大図
【発明を実施するための形態】
【００１３】
以下、本発明の実施の形態について図面を参照しながら説明する。なおこの実施の形態によって本発明が限定されるものではない。
【００１４】
（実施の形態１）
図３において、ドラム式洗濯機の本体１内に、水槽２が宙吊り状態に配設され、前記水槽２内に有底円筒形に形成された回転ドラム３がその軸心方向を正面側から背面側に向けて下向きに傾斜させてかつ回転自在に配設されている。前記水槽２の正面側には回転ドラム３の開口端に通じる衣類出入口４が形成され、本体１の前面を構成する前部枠体５の前部に形成された上向き傾斜面に設けられた開口部６を開閉する扉９を開くことにより、衣類出入口４を通じて回転ドラム３内の洗濯物を出し入れすることができる。扉９が上向き
傾斜面に設けられているため、洗濯物を出し入れする作業を腰を屈めることなく実施でき、一般には横向きにある開口部から洗濯物を出し入れするドラム式洗濯機の作業性の悪さが改善されている。
【００１５】
回転ドラム３の周面に水槽２内に通じる多数の透孔１０が形成され、水槽２の背面側に取り付けられたモータ１１によって正転及び逆転方向に回転駆動される。前記水槽２には、注水管路１２及び排水管路１３が配管接続され、注水弁１４および排水弁１５の制御によって水槽２内への注水及び排水がなされる。
【００１６】
前部枠体５の上部には操作表示パネル１６が配置され、その左下には洗剤投入ケース１７（図４に記載）が前方に引き出し自在に前部枠体５に配置されている。使用者は運転に先立ち洗剤を洗剤投入ケース１７に入れ、必要に応じて操作表示部１６を操作することにより、希望する運転内容を設定したり、運転スタート、一時停止を行い、運転の進行状態を認識することができる。
【００１７】
扉９を開いて回転ドラム３内に洗濯物を投入して運転を開始させると、注水弁１４が開き、洗剤投入ケース１７内に水が注水され、その中に投入されていた洗剤を流しながら、注水管路１２を介して水槽２内に所定量の注水がなされ、モータ１１により回転ドラム３が回転駆動されて洗濯行程が開始される。洗濯行程の洗濯物は、回転ドラム２の回転により回転方向に持ち上げられ落下する撹拌動作が繰り返され洗濯がなされる。
【００１８】
所要の洗濯時間の後、排水弁１５が開き、汚れた洗濯液は排水管路１３から排出され、回転ドラム３を高速回転させる脱水動作により洗濯物に含まれた洗濯液を脱水し、その後、水槽２内に注水管路１２から注水され、すすぎ行程が実施される。このすすぎ行程においても、洗濯物には回転ドラム２の回転により撹拌動作が繰り返されてすすぎ洗いが実施される。
【００１９】
図５、図６、図７において、操作表示パネル１６は、前部枠体５の上方と天板１８との間に配置され、透明樹脂部１９の表面がインサート成形されたフィルム２０（ＰＥＴフィルム）で覆われて着色、印刷が施された化粧面を成し、中央に略矩形形状を成す開口窓２１が設けられる。この開口窓２１は透明樹脂もフィルムも無い領域であり、その裏面には透明ガラス板２２が弾性体２３を介して操作表示パネル１６に取付けられ、この透明ガラス板２２の裏面には透明電極２４が接着される。また前記透明ガラス板２２の裏面側には液晶パネル２５が液晶取付台２６に取付けられ、この液晶取付台２６の裏面には前記透明電極や前記液晶パネルを制御する制御基板２７が取付けられる。
【００２０】
前記操作表示パネル１６は押圧操作ボタン部２８や発光表示部２９も有し、この操作表示パネル１６の内部にはスイッチ３０や発光素子３１などを積載した操作基板３２があり、裏面カバー３３に取付けられる。また前記発光素子３１の光を前記発光表示部２９に導く導光経路３４や、スイッチ３０を押圧操作するボタン部３５を有する操作部材３６が、前記操作表示パネル１６と前記裏面カバー３３の間に設けられる。前記押圧操作ボタン部２８には透明樹脂部１９が無くフィルム２０のみが存在するので、軽い操作力でスイッチ３０を操作できる。また発光表示部２９には透過性の高い印刷が施され発光素子３１の弱い光でも充分光らせることができる。
【００２１】
使用者が電源入りボタン（押圧操作ボタンの１つ）を押すと、液晶パネル２５には例えば図１に示すような表示が現れ、前記透明ガラス板２２を通して表示が見える。次に使用者が例えば「わたし流」と表示された領域の透明ガラス板の表面を指で触ると、図示はしないが例えば「洗い」の回数や時間の設定表示画面になったり、水位の設定などの表示になったりして、次々に下位の設定に進んでいく。このように表示画面を直接触って階層的
に設定するのはタッチパネル方式と呼ばれ、透明ガラス板２２の裏面に接着された透明電極２４によって、指がガラスに触れた時の静電容量の変化を検知することで、指が触れた位置を特定し、表示内容を操作に応じて進めていくことができる。
【００２２】
図２に従来例の操作表示パネル５０を示すが、中央の表示窓は液晶パネル５１の表示内容を、透明樹脂とその表面にインサート成形されたフィルムを通して見せるだけであり、表示場所も決まっているので、表示内容が増えると表示文字は小さくなってしまう。また「コース」ボタン５２などの設定ボタンが多数並び、使用者がどこを押したらいいのかわかりにくく、操作性が悪い、表示文字も小さく視認性が悪いという課題がある。
【００２３】
そこで、上述したように操作表示パネル１６に開口窓２１を設け、その裏面側に透明電極２４を接着した透明ガラス板２２を弾性体２３を介して取り付けることにより、使用者が表示画面を直接触って階層的に設定することができ、その結果、固定された操作ボタンを多数設ける必要が無くなって、操作ボタンを大幅に減らすことができる。また液晶パネル２５には、今操作する時に必要な表示のみを絞って表示したらいいので、表示内容を少なくかつ大きくでき、操作性、視認性の向上が図れる。
【００２４】
ところで静電容量の変化は指が触る物質の誘電率によって決まり、誘電率が大きいほど静電容量の変化が大きくなり感度が高くなる。なお感度が高いとは、指で押された位置を正確に早く認識でき、例えば水滴が付着したことを指が触れた状態と認識してしまうような誤検知を起こし難く、また外部ノイズの影響を受けて誤検知しにくいことをいう。ここで、例えばガラスの誘電率は９程度、ＡＢＳ樹脂やＰＥＴ樹脂は３程度であり、また静電容量の変化は厚みに反比例するので、指で触る部分の材質がガラス板だと、ＡＢＳ樹脂やＰＥＴ樹脂に比べて３倍の厚みがあっても、感度が同等にできる。
【００２５】
ちなみにＡＢＳ樹脂やＰＥＴ樹脂とは、一般的に操作表示パネルの材料として使われる透明の樹脂成形材料であり、本実施の形態、従来例とも透明樹脂部１９に使用している。ただし従来例は中央の表示部も他と同じ厚み３ｍｍ程度の透明樹脂と表面に厚み０．２ｍｍ程度のフィルム（ＰＥＴ）がインサート成形されたものであるのに対し、本実施の形態の操作表示部は開口窓２１があり、裏面に透明電極２４が接着された厚み２ｍｍ程度の透明ガラス板２２となっている。これは感度を少しでも高くしたいからである。
【００２６】
開口窓２１を設けなくても、透明樹脂部１９の厚みを薄くして裏面に透明電極２４を直接接着すれば操作時の感度を高めることができるかもしれない。しかし表面にフィルム（ＰＥＴ）がインサート成形されるので、フィルムの密着性を確保し、また成形後のソリ、変形を抑える為には透明樹脂の厚みは２．５ｍｍ以上が必要となり、それ以上の薄肉化はできない。一方使用者が操作する時に違和感なく操作できる程度の感度を得る為には、透明樹脂の厚みは１．５ｍｍ程度に抑える必要があり両立しない。更に透明電極２４を操作表示パネルに接着する際は、気泡が残らないように、また密着性を高める為に、接着後に専用の設備で加圧、過熱を施す必要があるが、操作表示パネル１６全体を入れるとなると、大きな設備が必要となり生産性も高めることができない。以上の理由で操作表示パネルに直接透明電極を接着する構成は採れなかった。
【００２７】
そこで本実施の形態では操作表示パネル１６に開口窓２１を設けて、裏面側から透明電極２４を接着した透明ガラス板２２を弾性体２３を介して開口窓２１の裏面に取り付けた。使用者は液晶パネル２５に表示された表示を見て、透明ガラス板２２の表面を指で触り、必要に応じて各種運転内容の設定を行う。予期せぬ外力が加わることによる破損防止を考慮して、透明ガラス板２２の厚みは２ｍｍ程度としたが、前述したように誘電率がＡＢＳ樹脂より大きい為、操作時の感度は充分高くでき、指で押された位置を正確に早く認識でき、例えば水滴が付着したことを指が触れた状態とみなすような誤検知を起こし難く、
また外部ノイズの影響を受けて誤検知しにくいものとなる。
【００２８】
透明ガラス板２２の裏側には、液晶パネル２５や制御基板２７などの電装部品があり、防水が必要となる。そこで略矩形形状の透明ガラス板２２の外周部を枠形状の弾性体２３で覆い、この弾性体を介して略矩形形状の開口窓２１の裏面に取り付けている。開口窓２１の上辺３７の内部、および下辺３８の内部では、透明ガラス板２２の表面側、裏面側、端面側の３方向とも弾性体２３を介して、透明ガラス板２２が操作表示パネル１６と液晶取付台２６の間に防水的に取付けられる。また開口窓２１の左辺３９の内部、および右辺４０の内部では、透明ガラス板２２の裏面側、端面側の２方向とも弾性体２３を介して、透明ガラス板２２が操作表示パネル１６と液晶取付台２６の間に防水的に取付けられる。
【００２９】
操作表示パネル１６の裏面の開口窓２１の４隅にはボス４１が設けられ、液晶取付台２６、および裏面カバー３３がビス締結される。ビス締結状態では、弾性体２３が液晶取付台２６で押し付けられて透明ガラス板２２および操作表示パネル１６と密着するので、開口窓２１の防水性が確保される。よって使用者が誤って開口窓２１に水をこぼしたりしても、内部にある液晶パネル２５や制御基板２７などの電装部品に水が付着することが無く、安全に守る。なお本実施の形態では液晶取付台２６、および裏面カバー３３が友締めされる例を示したが、液晶取付台２６を単独で操作表示パネル１６にビス締結しても同様の効果が得られる。
【００３０】
透明ガラス板２２が弾性体２３を介して開口窓２１の裏面に取り付けることで、外部から加わる衝撃でガラスが破損することも防止できる。透明ガラス板２２には、例えば使用者が何かを落とした時に衝撃荷重が加わる。また製品が包装状態で使用者宅に届けられる物流の途中で、積荷状態から落下したり転倒したりされた時でも同じく衝撃力が加わる。操作表示パネル１６は樹脂製で少しは衝撃吸収はするが、透明ガラス板２２は硬いけれど衝撃には弱いものである。よって透明ガラス板２２の外周に弾性体２３を配置させることで柔構造となり、外部から衝撃が加わっても破損を防げる。
【００３１】
またガラスはＡＢＳ樹脂に比べ線膨張係数が１オーダー小さい。製品が使用者宅で設置される場所が夏場、冬場では気温差が大きく、また倉庫で包装状態で保管された状態でも季節、地域差でかなりの温度差が生じる。線膨張係数の違いが大きい部品同士を組み合わせる時は、熱膨張差による変形を吸収する構造にしないと部品の破損を招くことがある。そこで本実施の形態では、透明ガラス板２２は弾性体２３を介して開口窓２１の裏面に取り付けることで、熱膨張差で透明ガラス板２２と操作表示パネル１６や液晶取付台２６との間に寸法変化が生じても、弾性体２３によって吸収され部品の破損を防げる。
【００３２】
操作表示パネル１６には、使用者が透明ガラス板２２に指を触れて運転内容を設定できる開口窓２１内の領域の他にも、電源入り、電源切り、スタートなどの押圧操作ボタン部２８も幾つか残している。使用者が液晶パネル２５に表示された内容に応じて透明ガラス板に直接触れて設定していくことで、押圧操作ボタン部を無くしてしまうことも可能ではある。しかし常に外観から見える固定された操作ボタンも残しておかないと、使用者が操作の途中で間違えて１つ前の操作に戻したい時とか、運転中に何か不具合が起きてすぐに止めたい時など、何をしたらいいのかわからなくなることがあるので、そうならないような配慮をしている。
【００３３】
また本実施の形態では、押圧操作ボタン部を押すことで動作するスイッチ３０や、発光表示部２９を光らせる発光素子３１などを積載した操作基板３２は、透明電極２４や液晶パネル２５を制御する制御基板２７から分離させるとともに、操作基板３２は裏面カバー３３に取り付け、制御基板２７は液晶取付台２６の裏面に取付けている。制御基板と操作基板を分離したのは、操作表示パネル１６の表面形状が、製品センターから端に行くほど
後退するラウンド形状をしているためである。このラウンド形状の為に、センター付近に置かれる制御基板２７に比べて、右端に置かれる操作基板３２は相対的に後退し、お互いに段違いになって１つに合体できなかったからである。よって例えば操作表示パネル１６の表面形状が平面に近い形状であるならば、制御基板と操作基板を一体にして液晶取付台２６の裏面に取り付けた構成としても構わない。
【００３４】
次に略矩形形状の開口窓２１の上下左右辺に現れる透明ガラス板２２との凹段差について述べる。図６に示す開口窓の左辺３９および右辺４０の透明ガラス板２２に対する表面凹段差Ｈ２は、図５に示す開口窓の上辺３７および下辺３８の透明ガラス板２２に対する表面凹段差Ｈ１より小さい。この凹段差は透明ガラス板２２の上にかぶさる透明樹脂の厚みと、もし弾性体２３も介在するのであればその厚みを足したものになる。
【００３５】
前述したように、開口窓２１の左辺３９の内部、および右辺４０の内部では、透明ガラス板２２の裏面側、端面側の２方向は弾性体２３を介しているが、表面側は直接透明樹脂に当てているので、凹段差Ｈ２はインサート成形が問題なくできる厚み２．５ｍｍ程度ですむ。一方開口窓２１の上辺３７の内部、および下辺３８の内部では、透明ガラス板２２の表面側、裏面側、端面側の３方向とも弾性体２３を介しているので、凹段差Ｈ１は透明樹脂の厚み３ｍｍと弾性体の厚み１．５ｍｍを足した４．５ｍｍ程度となり、Ｈ２より大きくなる。そして凹段差Ｈ１とＨ２との差は、左辺３９より左側に形成した段部４２の段差Ｈ３、及び右辺４０より右側に形成した段部４２の段差Ｈ３によって吸収される。
【００３６】
開口窓２１は操作表示パネル１６の表面より一段凹となっているので外観的に目立ち、操作表示パネル１６の全幅Ｌ０に対し開口窓の横幅Ｌ１が小さ過ぎると、貧弱に見えて高級感を損なうというデザイン的な課題が生じる。液晶パネル２５に表示内容が表示され、使用者が運転内容を設定する時や、製品の運転状況を表示している時は、開口窓２１内が明るく点灯しているのでまだ気にはならないが、消灯時は開口窓の凹領域が外観的な凹みとして一層目立ち易くなる。
【００３７】
なお開口窓の横幅Ｌ１を大きくして操作表示パネルの全幅Ｌ０との比率を例えば４割程度にすれば、開口窓の凹領域もそれなりに存在感を増しデザイン性を高めることができる。しかし全幅Ｌ０は６００ｍｍ程度あるので、開口窓の横幅Ｌ１は２６０ｍｍ程度必要となり、これだけ大きな透明ガラス板の防水性を確保し、衝撃力にも耐えるように、操作表示パネル１６に取り付けることは難しい。また操作表示パネル１６自体もこれだけ大きな開口窓を設けると、部品の強度が低下し、成形後のソリ、変形を抑えることも難しくなる。さらにガラス板、透明電極の大型化で生産コストも高くなる。
【００３８】
よって本実施の形態では、開口窓の左右辺の透明ガラス板２２に対する表面凹段差Ｈ２を、上下辺の凹段差Ｈ１より小さくし、凹段差Ｈ１とＨ２との差は、左辺３９より左側に形成した段部４２の段差Ｈ３、及び右辺４０より右側に形成した段部４２の段差Ｈ３によって吸収させた。つまりＨ１は（Ｈ２＋Ｈ３）にだいたい等しい。開口窓の横幅はＬ１であるが、その外側に広がる段部４２間の横幅Ｌ２も設けることで、外観的に目立つ凹領域を幅広に見せることができる。
【００３９】
開口窓の横幅Ｌ１は、透明ガラス２２や透明電極２４や液晶パネル２５の大きさに関係し、これらの電装部品を外部からの水浸入から防水的に保護し、また外部からの衝撃に耐え破損を防止するに充分な大きさとしてＬ１＝１５０ｍｍ程度に設定する。しかしこれだけでは操作表示パネルの全幅Ｌ０＝６００ｍｍ程度に対して小さ過ぎて外観的に貧弱に見えるので、その外側に段部４２間の横幅Ｌ２＝２６０ｍｍの凹領域も設ける。つまり凹領域Ｌ２を操作表示パネルの全幅Ｌ０に対して４割程度の大きさにすることができ、外観的にはこの凹領域が認識され、それなりに存在感を増しデザイン性を高めることができる。
【００４０】
この段部４２間の横幅Ｌ２は単に外観デザイン的な形状であり、防水性、強度などの面で内部構造への影響を与えないので自由に設定できる。また開口窓の左右辺の段差Ｈ２を小さくする為に、透明ガラス板２２の表面側は操作表示パネル１６に当接させているが、弾性体２３が透明ガラス板２２の裏面側、および端面側に介在し、ボス４１部でビス締結されて液晶取付台２６と操作表示パネル１６間で圧迫されているので、透明ガラス表面側からの水が開口窓２１の内部に侵入することなく防水性が確保される。また外部から衝撃が加わっても、弾性体２３によって吸収され部品の破損なども防げる。
【００４１】
図５、６、７において透明ガラス板２２は弾性体２３を介して液晶取付台２６と操作表示パネル１６の間に弾性保持され、液晶取付台２６の透明ガラス板側には液晶パネル２５が取付けられ、液晶取付台２６の裏面には制御基板２７が取付けられる。操作表示パネル１６の下辺には扉９や洗剤投入ケース１７が配置されるとともに、上辺は製品全体の高さに影響する為、操作表示パネルを大きくすることは難しい。そこで液晶取付台２６の表裏に部品を配置することで操作表示パネル内部のスペースを有効に活用でき、表示範囲を広く活用できる。
【００４２】
透明電極２４の左辺には中継線５０が設けられて制御基板２７に接続され、使用者が表示画面のどこを触ったかという操作情報を伝える。また液晶パネル２５の下辺には中継線５１が設けられて制御基板２７に接続され、液晶表示内容の制御を行う。透明ガラス板２２と弾性体２３と液晶パネル２５と液晶取付台２６と制御基板２７はユニット化され、タッチパネルユニット５２を形成する。このタッチパネルユニット５２は単独で操作表示パネル１６の裏面に取付けても良い。あるいはタッチパネルユニット５２を裏面カバー３３に取付けた後、操作基板３２や操作部材３６も組み付けた操作表示ユニット５３の状態で操作表示パネル１６の裏面に取付けしても良い。
【００４３】
透明電極２４を透明ガラス板２２に接着する時は、埃が付着したり気泡が発生しないように特別な製造設備が必要になる。また使用者が指で透明ガラス板２２を触れた位置が液晶パネル２５での位置と正しく対応して認識されるか、また感度は正常かなどの特別な性能検査も必要になる。透明ガラス板２２は外周を弾性体２３で覆われて液晶取付台２６に取付けられるので、タッチパネルユニット５２として組立けられた後は、透明電極２４と液晶パネル２５の位置関係がずれて操作に支障をきたしたり、透明電極２４に埃が付着して外観上の問題になることが防げる。
【００４４】
また液晶取付台２６の表側に液晶パネル２５を取付け、裏面に制御基板２７を取付けてユニット化する構成により、制御基板２７に接続される中継線５０、５１の長さを短く処理できる。その結果、外部ノイズによる誤動作を起き難くできるし、組立時に不用意に引っ掛けて損傷させたりすることも防止でき、組立性も向上する。即ち、性能や外観などの品質が確保されたユニット状態のままタッチパネルユニット５２を操作表示パネル１６に組み付けることができ、品質が安定するとともに組立性も向上する。またユニット化に必要な検査・製造設備を備えた工場でタッチパネルユニット５２を生産し、そういう設備を必要としない操作表示ユニット５３は特殊な設備を持たない工場でも生産でき、操作表示パネル１６への組立はまた別の工場で組立するといった柔軟な生産体制が採れる。
【００４５】
図６で、液晶取付台２６は開口窓２１の近傍で操作表示パネル１６の裏面に形成されたボス４１でビス締結されている。ボス４１を形成するには当然１５ｍｍ程度のスペースが必要な為、ボス４１はスペースに余裕のある開口窓２１の左右側に4ヶ所設け、上下方向の液晶パネル２５の幅を最大限利用できるように開口窓２１の上下側には設けない。前述したように、透明ガラス板２２は、弾性体２３によって外周を覆われて液晶取付台２６と操作表示パネル１６の間に弾性保持されて、同時にシール性も保持して、開口窓２１から
タッチパネルユニット５２の内部に洗剤水などが侵入することを防止する。開口窓２１の近傍を直接ビス締結することがシール性を確保するのに一番効果的な構成である。また裏面カバー３３と液晶取付台２６を友締めすることで、スペースを確保するとともに組立性も向上できる。
【００４６】
図８において、液晶取付台２６にボス４１間（ビス締結部間）で操作表示パネル１６と係合する係合部５４、５５を設けている。前述のようにスペースの余裕が無い開口窓２１の上下方向にはボス４１を設けないため、液晶パネル２５が横長に広がるとボス４１間（ビス締結部間）が離れ、操作表示パネル１６の浮きを規制できなくなる。そこでボス４１間に、液晶取付台２６の上辺に係合部５４を設け、下辺に係合部５５を設け、それぞれ操作表示パネル１６に係合させ、ボス４１間の浮きを規制し、開口窓２１の全域に渡りシール性を確保できる。この係合部はボスに比べて少ないスペースで形成できる為、液晶パネル２５の上下方向の幅を犠牲にすることなくシール性を確保でき、デザイン性、使い勝手を向上できる。
【００４７】
図８，９において、液晶取付台２６の下部には前部枠体５と係合する係合部５６が設けられ、製品前方への浮きを規制している。液晶取付台２６は前述した係合部５５で操作表示パネル１６と係合しているので、操作表示パネル１６を前部枠体５に係合させなくても製品前方への浮きを規制することができる。操作表示パネル１６には通常の使用時は製品前方へ浮くような力は加わらないが、例えば製品が梱包された状態での荷扱いで落下、転倒されたりすると、製品前方に外れるような力が作用する可能性がある。よって液晶取付台２６の係合部５６を前部枠体５に係合させることで、操作表示パネル１６が製品前方へ外れることを防止できる。
【００４８】
また操作表示パネル１６が製品前方へ浮くと前部枠体５との隙間が生じ、押したらぶかぶかして品位を損ねる、隙間から内部に水滴やほこりが侵入して品質的に悪影響を与えるといった課題が生じる。それも液晶取付台２６の係合部５６を前部枠体５に係合させることで、操作表示パネル１６が製品前方へ浮くことを防止できる。
【００４９】
なお操作表示パネル１６を直接前部枠体５に係合させても良いわけではあるが、そうすると液晶パネル２５の上下方向の幅が広く取れないという課題がある。つまり操作表示パネル１６の下部に係合部の形状を設けると、操作表示パネルが、天板１８と前部枠体５とで形成される外形形状より斜め上方に凸になっているので下辺の立ち壁があり、この立ち壁と離して係合部を設けなければ立ち壁が厚肉になって表面にヒケができ外観的な問題がでる。さらに液晶取付台２６もこの係合部を逃がさねばならないので、その分液晶パネル２５が小さくなってしまう。この課題を液晶取付台２６の係合部５６を前部枠体５に係合させることで、液晶パネル２５の上下方向の幅を犠牲にすることなく、操作表示パネル１６が前部枠体５から浮いたり、外れたりすることを防止できる。
【００５０】
図９において、裏面カバー３３の下部には前部枠体５と係合する係合部５７が設けられ、製品前方への浮きを規制している。裏面カバー３３は操作表示パネル１６と締結されているので、操作表示パネル１６を前部枠体５に係合させなくても製品前方への浮きを規制することができる。操作表示パネル１６は製品の両端まである長い形状をしているが、操作表示パネル１６の前部枠体５からの浮き、外れ防止を、中央よりの液晶取付台２６がある範囲は液晶取付台の係合部５６で行い、液晶取付台２６の無い範囲は裏面カバー３３の係合部５７で行う。よって操作表示パネル１６の下辺に係合部を形成する必要が無く、液晶パネル２５や操作基板３２の幅を犠牲にすることなく浮き、外れ防止ができる。
【産業上の利用可能性】
【００５１】
以上のように、本発明にかかる洗濯機は、使用者が運転内容を設定する時に、透明ガラ
ス板に現れる表示を直接触って選択したいコースを選ぶと、続けて例えば「洗い」の時間設定などの更に下層の表示が現れ、それを触って決定していく階層的な操作が可能となり、操作ボタンを減らせ、表示も大きくでき、操作性、視認性を向上できる。同時に液晶取付台の表に液晶を、裏に制御基板を取付けるので省スペース化が図れ、操作表示パネルの内部のスペースが広がり、液晶パネルが大きくでき表示範囲を拡大できる。また液晶取付台を前部枠体に係合させることで、操作表示パネルに前部枠体との係合部を設ける必要が無くなり、液晶パネルの表示範囲を拡大できるので、洗濯機分野で有用である。
【符号の説明】
【００５２】
１    本体
３    回転ドラム
５    前部枠体
１６  操作表示パネル
１８  天板
１９  透明樹脂部
２０  フィルム
２１  開口窓
２２  透明ガラス板
２３  弾性体
２４  透明電極
２５  液晶パネル
２６  液晶取付台
２７  制御基板
２８  押圧操作ボタン部
２９  発光表示部
３０  スイッチ
３１  発光素子
３２  操作基板
３３  裏面カバー
３４  導光経路
３５  ボタン部
３６  操作部材
３７  開口窓の上辺
３８  開口窓の下辺
３９  開口窓の左辺
４０  開口窓の右辺
４１  ボス
４２  段部
５４、５５  係合部
５６  液晶取付台の係合部
５７  裏面カバーの係合部
【図３】
2014054496.tif 000003
【図４】
2014054496.tif 000004
【図５】
2014054496.tif 000005
【図６】
2014054496.tif 000006
【図７】
2014054496.tif 000007
【図８】
2014054496.tif 000008
【図９】
2014054496.tif 000009
【図１】
2014054496.tif 000010
【図２】
2014054496.tif 000011